(57)【要約】【課題】自装置の操作手段および通信により接続された制御装置から識別子を柔軟に変更することができる電動ブラインド制御システムの提供。【解決手段】夫々を識別する識別子が付与された複数の電動ブラインド装置と、識別子を含んだ制御信号を送信することにより、電動ブラインド装置の動作を制御する制御装置とを備える電動ブラインド制御システムにおいて、制御装置は、各電動ブラインド装置に設定すべき識別子を送信する手段を備え、各電動ブラインド装置は、識別子の入力を受付ける操作手段と、受付けた識別子を記憶する第１記憶手段と、制御装置から送信された識別子を受信する手段と、受信した識別子を記憶する第２記憶手段と、第１又は第２記憶手段に記憶した識別子のうち、最後に記憶した識別子を自装置の識別子として設定する設定手段とを備える。【選択図】図７
2015209687.tif 000002
【特許請求の範囲】
【請求項１】
夫々を識別する識別子が付与された複数の電動ブラインド装置と、該複数の電動ブラインド装置に通信可能に接続され、１又は複数の識別子を含む制御信号を送信することにより、前記識別子により識別される１又は複数の電動ブラインド装置の動作を制御する制御装置とを備える電動ブラインド制御システムにおいて、
前記制御装置は、
各電動ブラインド装置に設定すべき識別子を送信する手段
を備え、
各電動ブラインド装置は、
識別子の入力を受付ける操作手段と、
該操作手段により受付けた識別子を記憶する第１記憶手段と、
前記制御装置から送信された識別子を受信する手段と、
該手段にて受信した識別子を記憶する第２記憶手段と、
前記第１又は第２記憶手段に記憶した識別子のうち、最後に記憶した識別子を自装置の識別子として設定する設定手段と
を備えることを特徴とする電動ブラインド制御システム。
【請求項２】
各電動ブラインド装置は、
前記設定手段により設定した識別子に係る情報を前記制御装置へ送信する手段
を備え、
前記制御装置は、
各電動ブラインド装置から送信された識別子に係る情報を受信する手段と、
受信した識別子に係る情報を記憶する手段と
を備えることを特徴とする請求項１に記載の電動ブラインド制御システム。
【請求項３】
各電動ブラインド装置に設定すべき識別子を送出する手段を有する識別子設定装置を更に備え、
各電動ブラインド装置は、
前記識別子設定装置を接続する接続手段と、
該接続手段に接続された識別子設定装置から送出される識別子を取得する手段と
を備え、
前記識別子設定装置から取得した識別子を前記第１記憶手段に記憶するようにしてあることを特徴とする請求項１又は請求項２に記載の電動ブラインド制御システム。
【請求項４】
各電動ブラインド装置は、
前記設定手段により設定した識別子を表示する表示手段
を備えることを特徴とする請求項１から請求項３の何れか１つに記載の電動ブラインド制御システム。
【請求項５】
前記操作手段は、ディップスイッチであることを特徴とする請求項１から請求項４の何れか１つに記載の電動ブラインド制御システム。
【発明の詳細な説明】
【技術分野】
【０００１】
本発明は、各電動ブラインド装置に付与した識別子に基づき制御を行う電動ブラインド制御システムに関する。
【背景技術】
【０００２】
従来、複数の電動ブラインド装置を集中的に制御して、各電動ブラインド装置におけるスラットの昇降位置および角度を、採光と冷暖房効率との両面から適正な値に設定し、冷暖房費用の節約とともに建物全体の美観を維持するのに役立つ電動ブラインド制御システムが提案されている。
【０００３】
このような電動ブラインド制御システムでは、中央制御装置からの指令に基づいて、すべての電動ブラインド装置が一括制御される。また、各電動ブラインド装置に設けられたディップスイッチあるいは複数の電動ブラインド装置で構成されるグループ毎に設けられた操作スイッチで各ブラインドが制御される。
【０００４】
各電動ブラインド装置に設けられたディップスイッチにより個別番号を与える従来の電動ブラインド制御システム（例えば、特許文献１を参照）では、レイアウトの変更、設置場所の変更に伴って個別番号を変更する必要がある場合には、作業者は、電動ブラインド装置の設置場所まで出向いてディップスイッチを操作しなければならず、不便であるという問題点を有していた。
【０００５】
上記問題点を解決するために、特許文献２では、各電動ブラインド装置に通信線を介して接続された中央制御装置、及び各電動ブラインド装置に通信ケーブルを介して着脱可能に接続される個別番号設定装置を利用して夫々に識別番号を設定するシステムが提案されている。
【先行技術文献】
【特許文献】
【０００６】
【特許文献１】特開平１−１９２９８７号公報
【特許文献２】特開平４−３３３７９４号公報
【発明の概要】
【発明が解決しようとする課題】
【０００７】
しかしながら、特許文献２の構成では、各電動ブラインド装置に与えられている識別番号の初期値が装置間で同一である場合、中央制御装置からは設定対象の電動ブラインド装置を個別に指定する手段が存在しないため、個別番号設定装置を電動ブラインド装置に１つずつ順番に接続し、夫々について識別番号を設定する必要があるため、手間が掛かるという問題点を有していた。
【０００８】
本発明は、斯かる事情に鑑みてなされたものであり、自装置の操作手段および通信により接続された制御装置から識別子を柔軟に変更することができる電動ブラインド制御システムを提供することを目的とする。
【課題を解決するための手段】
【０００９】
本願の電動ブラインド制御システムは、夫々を識別する識別子が付与された複数の電動ブラインド装置と、該複数の電動ブラインド装置に通信可能に接続され、１又は複数の識別子を含む制御信号を送信することにより、前記識別子により識別される１又は複数の電動ブラインド装置の動作を制御する制御装置とを備える電動ブラインド制御システムにおいて、前記制御装置は、各電動ブラインド装置に設定すべき識別子を送信する手段を備え、各電動ブラインド装置は、識別子の入力を受付ける操作手段と、該操作手段により受付けた識別子を記憶する第１記憶手段と、前記制御装置から送信された識別子を受信する手段と、該手段にて受信した識別子を記憶する第２記憶手段と、前記第１又は第２記憶手段に記憶した識別子のうち、最後に記憶した識別子を自装置の識別子として設定する設定手段とを備えることを特徴とする。
【００１０】
本願の電動ブラインド制御システムは、各電動ブラインド装置は、前記設定手段により設定した識別子に係る情報を前記制御装置へ送信する手段を備え、前記制御装置は、各電動ブラインド装置から送信された識別子に係る情報を受信する手段と、受信した識別子に係る情報を記憶する手段とを備えることを特徴とする。
【００１１】
本願の電動ブラインド制御システムは、各電動ブラインド装置に設定すべき識別子を送出する手段を有する識別子設定装置を更に備え、各電動ブラインド装置は、前記識別子設定装置を接続する接続手段と、該接続手段に接続された識別子設定装置から送出される識別子を取得する手段とを備え、前記識別子設定装置から取得した識別子を前記第１記憶手段に記憶するようにしてあることを特徴とする。
【００１２】
本願の電動ブラインド制御システムは、各電動ブラインド装置は、前記設定手段により設定した識別子を表示する表示手段を備えることを特徴とする。
【００１３】
本願の電動ブラインド制御システムは、前記操作手段は、ディップスイッチであることを特徴とする。
【発明の効果】
【００１４】
本願によれば、自装置の操作手段および通信により接続された制御装置から識別子を柔軟に変更することができる。
【図面の簡単な説明】
【００１５】
【図１】電動ブラインド制御システムの全体構成を示すブロック図である。
【図２】電動ブラインド装置の制御系の構成を示すブロック図である。
【図３】記憶部に記憶される識別番号の一例を示す図である。
【図４】中央制御装置の内部構成を示すブロック図である。
【図５】ディップスイッチによる識別番号の変更手順を示すフローチャートである。
【図６】中央制御装置による識別番号の変更手順を示すフローチャートである。
【図７】自装置の識別番号を更新する手順を示すフローチャートである。
【図８】実施の形態２に係る識別番号設定装置の内部構成を示すブロック図である。
【図９】実施の形態２に係る電動ブラインド装置の制御系の構成を示すブロック図である。
【図１０】識別番号設定装置による識別番号の変更手順を示すフローチャートである。
【図１１】実施の形態３に係る識別番号の更新手順を説明するフローチャートである。
【図１２】実施の形態４に係る電動ブラインド装置の制御系の構成を示すブロック図である。
【発明を実施するための形態】
【００１６】
以下、本発明をその実施の形態を示す図面に基づいて具体的に説明する。
（実施の形態１）
図１は電動ブラインド制御システムの全体構成を示すブロック図である。本実施の形態に係る電動ブラインド制御システムは、複数の電動ブラインド装置１０，１０，…，１０、及び電動ブラインド装置１０，１０，…，１０を集中的に管理、制御する中央制御装置２０を備える。
【００１７】
電動ブラインド装置１０は、例えば、金属製又はプラスチック製の細長い帯状の板からなるスラット（不図示）を有しており、このスラットを昇降させる昇降機構（不図示）、スラットの角度を調節するチルト機構（不図示）、これらの駆動機構を駆動する電動モータ１４Ｍ，１５Ｍ（図２を参照）、及び電動モータ１４Ｍ，１５Ｍの駆動制御を行う制御部１１（図２を参照）等を備えている。中央制御装置２０は、サーバ装置等のコンピュータであり、各電動ブラインド装置１０に通信線Ｎを介して接続される。中央制御装置２０は、通信線Ｎを介して制御信号を送信することにより、各電動ブラインド装置１０の管理及び制御を行う。
【００１８】
各電動ブラインド装置１０には個別の識別番号が付与される。中央制御装置２０は、制御対象の１又は複数の電動ブラインド装置１０の識別番号を付加した上で制御信号を各電動ブラインド装置１０へ送信する。各電動ブラインド装置１０は、通信線Ｎを通じて中央制御装置２０からの制御信号を受信した場合、受信した制御信号が自装置宛であるか否かを判断し、自装置宛である場合にはその制御信号に応じた制御を行う。
【００１９】
本実施の形態では、中央制御装置２０から所定の制御信号を電動ブラインド装置１０に送信するか、または、個々の電動ブラインド装置１０が備えるディップスイッチ１６（図２を参照）を利用することによって、各電動ブラインド装置１０の識別番号を変更できるように構成している。
【００２０】
図２は電動ブラインド装置１０の制御系の構成を示すブロック図である。電動ブラインド装置１０は、制御部１１、記憶部１２、通信部１３、昇降制御部１４、チルト制御部１５、電動モータ１４Ｍ，１５Ｍ、ディップスイッチ１６などを備える。電動ブラインド装置は、図に示していない商用電源から供給される電力により動作するように構成されている。
【００２１】
制御部１１は、例えば、ＣＰＵ、ＲＯＭ、ＲＡＭなどを備え、ＲＯＭに予め格納された制御プログラムをＲＡＭに読み出し、ＲＡＭに読み出した制御プログラムをＣＰＵが実行することにより、装置全体を本発明に係る電動ブラインド装置として機能させる。
【００２２】
記憶部１２は、ＥＥＰＲＯＭ（Electronically Erasable Programmable Read Only Memory）などの不揮発性メモリにより構成されており、自装置の識別番号、スラットの高さデータ、角度データ、電動モータの回転数等の各種データを記憶する。記憶部１２が備える記憶領域の一部は、ディップスイッチ１６によって設定された識別番号及び識別番号の更新日時を記憶する第１記憶領域１２ａ、通信により中央制御装置２０から設定された識別番号及び識別番号の更新日時を記憶する第２記憶領域１２ｂ、並びに、第１記憶領域１２ａ及び第２記憶領域１２ｂに記憶された識別番号のうち最新の識別番号（最後に更新された識別番号）を記憶する第３記憶領域１２ｃとして利用される。
【００２３】
通信部１３は、例えばＲＳ４８５の仕様に準拠したシリアル通信により、中央制御装置２０との通信を行う。中央制御装置２０から送信される制御信号を受信した場合、通信部１３は、制御信号をデコードし、デコードして得られるデータを制御部１１へ送出する。また、制御部１１を通じて中央制御装置２０へ送信すべきデータが入力された場合、通信部１３は、入力されたデータを基に中央制御装置２０との通信における通信仕様に準拠した信号を生成し、生成した信号を通信線Ｎを通じて中央制御装置２０へ送信する。
【００２４】
昇降制御部１４は、制御部１１からの制御信号に基づいて電動モータ１４Ｍの回転を制御することにより、スラットを昇降させる昇降機構の駆動制御を行い、スラットを上昇させる動作、スラットを下降させる動作、スラットの昇降を停止させる動作を実行させる。
【００２５】
チルト制御部１５は、制御部１１からの制御信号に基づいて電動モータ１５Ｍの回転を制御することにより、スラットの角度を調節するチルト機構の駆動制御を行い、スラットを回動させる動作、スラットの回動を停止させる動作を実行させる。
【００２６】
ディップスイッチ１６は、識別番号を設定するためのスイッチであり、スライド方式またはプッシュロック方式の複数のスイッチにより構成されている。ディップスイッチ１６が備える各スイッチのオン／オフの状態は、電動ブラインド装置１０を管理する管理者、使用者等によって切り替えられる。本実施の形態では、各スイッチのオン／オフの状態に応じて、識別番号が一意に定まるように構成されている。制御部１１は、各スイッチのオン／オフの状態を読み取ることにより、自装置に設定された識別番号を取得し、取得した識別番号が記憶部１２の第１記憶領域１２ａに記憶されている識別番号と異なる場合（すなわち、ディップスイッチ１６によって識別番号が変更された場合）、第１記憶領域１２ａに記憶されている識別番号及び更新日時を、新たに取得した識別番号及び取得した日時により書き換える処理を行う。
【００２７】
図３は記憶部１２に記憶される識別番号の一例を示す図である。本実施の形態では、ディップスイッチ１６によって設定された識別番号、通信経由で中央制御装置２０により設定された識別番号、これらの識別番号のうち最後に更新された識別番号が記憶部１２に記憶される。
【００２８】
図３Ａは、ディップスイッチ１６により設定され、記憶部１２内の第１記憶領域１２ａに記憶された識別番号の一例を示している。識別番号は、例えば８桁の二進数で表される。図３Ａに示す例は、識別番号として「００００１１００」が設定され、この識別番号の更新日時が「２０１４年５月１日、１２時３４分５０秒」であったことを示している。
【００２９】
図３Ｂは、通信経由で中央制御装置２０により設定され、記憶部１２内の第２記憶領域１２ｂに記憶された識別番号の一例を示している。図３Ｂに示す例は、識別番号として「００００１１１１」が設定され、この識別番号の更新日時が「２０１４年５月１日、１６時３０分００秒」であったことを示している。
【００３０】
図３Ｃは、システム内で用いる自装置の識別番号を記憶する。本実施の形態では、第１記憶領域１２ａ及び第２記憶領域１２ｂに記憶された識別番号のうち、最新の識別番号（最後に更新された識別番号）を第３記憶領域１２ｃに記憶させることにより、自装置の識別番号を設定する。図３Ａ及び図３Ｂに示す例では、第２記憶領域１２ｂに記憶された識別番号の更新日時の方が第１記憶領域１２ａに記憶された識別番号の更新日時より遅いため、制御部１１は、第２記憶領域１２ｂに記憶された識別番号を読み出し、第３記憶領域１２ｃに記憶させることにより、システム内で用いる自装置の識別番号を設定する。
【００３１】
図４は中央制御装置２０の内部構成を示すブロック図である。中央制御装置２０は、制御部２１、記憶部２２、通信部２３、表示部２４、操作部２５などを備える。
【００３２】
制御部２１は、例えば、ＣＰＵ、ＲＯＭ、ＲＡＭなどを備え、ＲＯＭに予め格納された制御プログラムをＲＡＭに読み出し、ＲＡＭに読み出した制御プログラムをＣＰＵが実行することにより、装置全体を本発明に係る制御装置として機能させる。
【００３３】
記憶部２２は、ＨＤＤ（Hard Disk Drive）などの不揮発性の記憶手段であり、各電動ブラインド装置１０，１０，…，１０に設定されている識別番号、各電動ブラインド装置１０，１０，…，１０のスラットの高さデータ、角度データ、電動モータの回転数等の各種データを記憶する。
【００３４】
通信部２３は、例えばＲＳ４８５の仕様に準拠したシリアル通信により、電動ブラインド装置１０との通信を行う。通信部２３は、通信線Ｎを介して電動ブラインド装置１０から送信される信号を受信した場合、受信した信号をデコードし、デコードして得られるデータを制御部２１へ送出する。また、制御部２１を通じて、識別番号によって指定される１又は複数の電動ブラインド装置宛の動作指令等が入力された場合、通信部２３は、指定された識別番号及び動作指令に基づいて制御信号を生成し、生成した制御信号を各電動ブラインド装置１０，１０，…，１０へ送信する。中央制御装置２０から電動ブラインド装置１０へ送信する制御信号には、スラットの昇降制御に係る制御信号、スラットの角度調節に係る制御信号、識別番号の変更指示に係る制御信号が含まれる。
【００３５】
なお、本実施の形態では、中央制御装置２０から電動ブラインド装置１０へ制御信号を送信する際、制御対象の電動ブラインド装置１０の識別番号を指定した上で、制御信号をブロードキャスト的に全ての電動ブラインド装置１０，１０，…，１０へ送信し、それぞれの電動ブラインド装置１０，１０，…，１０において自装置宛の制御信号を受信したか否かを判断する構成としたが、中央制御装置２０から全ての電動ブラインド装置１０，１０，…，１０に対して制御信号を送信するのではなく、制御対象の電動ブラインド装置１０にのみ制御信号を送信する構成であっても良いことは勿論のことである。
【００３６】
表示部２４は、例えば液晶表示パネルであり、電動ブラインド装置１０を管理する管理者に対して報知すべき情報を表示する。また、操作部２５は、キーボード、マウス等のユーザインタフェースであり、管理者による文字情報の入力、各種選択操作等を受付ける。
【００３７】
以下、電動ブラインド装置１０の動作について説明する。
図５はディップスイッチ１６による識別番号の変更手順を示すフローチャートである。電動ブラインド装置１０の制御部１１は、図に示していないタイマをセットし（ステップＳ１０１）、所定時間が経過したか否かを判断する（ステップＳ１０２）。所定時間が経過していない場合（Ｓ１０２：ＮＯ）、制御部１１は、所定時間が経過するまで待機する。
【００３８】
所定時間が経過した場合（Ｓ１０２：ＹＥＳ）、制御部１１は、ディップスイッチ１６が備える各スイッチのオン／オフの状態を読み取り（ステップＳ１０３）、ディップスイッチ１６によって設定された識別番号を取得する。次いで、制御部１１は、取得した識別番号と第１記憶領域１２ａに記憶されている識別番号と比較し、識別番号が変更されたか否かを判断する（ステップＳ１０４）。識別番号が変更されていない場合（Ｓ１０４：ＮＯ）、制御部１１は、処理をステップＳ１０１へ戻す。
【００３９】
識別番号が変更されている場合（Ｓ１０４：ＹＥＳ）、制御部１１は、第１記憶領域１２ａの識別番号を、ディップスイッチ１６により設定された識別番号により書き換える処理を行う（ステップＳ１０５）。
【００４０】
図６は中央制御装置２０による識別番号の変更手順を示すフローチャートである。中央制御装置２０の制御部２１は、操作部２５を通じて電動ブラインド装置１０に設定すべき識別番号を受付けた場合（ステップＳ１１１）、対象の電動ブラインド装置１０の識別番号を指定した上で、識別番号の変更指示に係る制御信号を電動ブラインド装置１０へ送信する（ステップＳ１１２）。
【００４１】
電動ブラインド装置１０の制御部１１は、中央制御装置２０から自装置宛に送信された識別番号の変更指示に係る制御信号を通信部１３にて受信したか否かを判断することにより、中央制御装置２０から変更指示が与えられたか否かを判断する（ステップＳ１１３）。変更指示が与えられていない場合（Ｓ１１３：ＮＯ）、電動ブラインド装置１０は、変更指示が与えられるまで待機する。
【００４２】
変更指示が与えられた場合（Ｓ１１３：ＹＥＳ）、制御部１１は、中央制御装置２０から指定された識別番号を取得し（ステップＳ１１４）、第２記憶領域１２ｂの識別番号を、ステップＳ１１４で取得した識別番号により書き換える処理を行う（ステップＳ１１５）。
【００４３】
図７は自装置の識別番号を更新する手順を示すフローチャートである。電動ブラインド装置１０の制御部１１は、図に示していないタイマをセットし（ステップＳ１２１）、所定時間が経過したか否かを判断する（ステップＳ１２２）。所定時間が経過していない場合（Ｓ１２２：ＮＯ）、制御部１１は、所定時間が経過するまで待機する。
【００４４】
所定時間が経過したと判断した場合（Ｓ１２２：ＹＥＳ）、制御部１１は、第１記憶領域１２ａに記憶されている識別番号の更新日時と、第２記憶領域１２ｂに記憶されている識別番号の更新日時とを比較し（ステップＳ１２３）、最後に更新された識別番号を第１記憶領域１２ａ又は第２記憶領域１２ｂの何れかから読み出す（ステップＳ１２４）。
【００４５】
次いで、制御部１１は、第１記憶領域１２ａ又は第２記憶領域１２ｂの何れかから読み出した識別番号と、第３記憶領域１２ｃに記憶されている識別番号とを比較し、識別番号を更新するか否かを判断する（ステップＳ１２５）。
【００４６】
第１記憶領域１２ａ又は第２記憶領域１２ｂから読み出した識別番号と、第３記憶領域１２ｃに記憶されている識別番号とが同一である場合、制御部１１は、識別番号を更新しないと判断し（Ｓ１２５：ＮＯ）、処理をステップＳ１２１に戻す。
【００４７】
第１記憶領域１２ａ又は第２記憶領域１２ｂから読み出した識別番号と、第３記憶領域１２ｃに記憶されている識別番号とが異なる場合、制御部１１は、識別番号を更新すると判断する（Ｓ１２５：ＹＥＳ）。この場合、制御部１１は、第３記憶領域１２ｃの識別番号を、第１記憶領域１２ａ又は第２記憶領域１２ｂから読み出した識別番号により書き換えることにより（ステップＳ１２６）、システム内で使用する自装置の識別番号を設定する。
【００４８】
以上の構成を備えているので、実施の形態１に係る電動ブラインド制御システムでは、電動ブラインド装置１０を所定の設置場所に設置する際、ディップスイッチ１６を用いて個別に識別番号を与えることができる。また、設置後にレイアウトの変更、設置場所の変更があった場合には、ディップスイッチ１６を操作することなく、中央制御装置２０から通信経由で識別番号を設定することができる。
【００４９】
（実施の形態２）
実施の形態１では、各電動ブラインド装置１０が備えるディップスイッチ１６により識別番号を設定する構成としたが、識別番号を設定するための識別番号設定装置を着脱自在に接続し、接続された識別番号設定装置を通じて識別番号を設定する構成としてもよい。
【００５０】
図８は実施の形態２に係る識別番号設定装置３０の内部構成を示すブロック図である。識別番号設定装置３０は、制御部３１、接続インタフェース３２、操作部３３、表示部３４等を備える。
【００５１】
制御部３１は、例えば、ＣＰＵ、ＲＯＭ、ＲＡＭなどを備え、ＲＯＭに予め格納された制御プログラムをＲＡＭに読み出し、ＲＡＭに読み出した制御プログラムをＣＰＵが実行することにより、装置全体を本発明に係る識別子設定装置として機能させる。
【００５２】
接続インタフェース３２には、例えばＲＳ２３２Ｃなどの通信規格に準拠した通信ケーブルが接続され、この通信ケーブルを介して電動ブラインド装置１０が接続される。
【００５３】
操作部３３は、各種ボタン、スイッチ等を有するユーザインタフェースであり、識別番号等の入力を受付ける。表示部３４は、例えば液晶表示パネルであり、操作部３３を通じて入力された識別番号等を表示する。
【００５４】
識別番号設定装置３０は、操作部３３を通じて入力された識別番号を通信ケーブルを介して接続先の電動ブラインド装置１０へ送出することにより、電動ブラインド装置１０の識別番号を変更する。
【００５５】
図９は実施の形態２に係る電動ブラインド装置１０の制御系の構成を示すブロック図である。実施の形態２に係る電動ブラインド装置１０は、制御部１１、記憶部１２、通信部１３、昇降制御部１４、チルト制御部１５、電動モータ１４Ｍ，１５Ｍ、ディップスイッチ１６の他に、識別番号設定装置３０を接続するための接続インタフェース１７を備える。
【００５６】
電動ブラインド装置１０の接続インタフェース１７には、例えばＲＳ２３２Ｃなどの通信規格に準拠した通信ケーブルにより識別番号設定装置３０が着脱自在に接続される。
【００５７】
電動ブラインド装置１０の制御部１１は、接続インタフェース１７を介して接続された識別番号設定装置３０から送出される識別番号を取得した場合、取得した識別番号を記憶部１２内の第１記憶領域１２ａに記憶させる。
【００５８】
図１０は識別番号設定装置３０による識別番号の変更手順を示すフローチャートである。識別番号設定装置３０の制御部３１は、操作部３３を通じて電動ブラインド装置１０に設定すべき識別番号を受付けた場合（ステップＳ２０１）、受付けた識別番号を通信ケーブルを介して電動ブラインド装置１０へ送出する（ステップＳ２０２）。
【００５９】
電動ブラインド装置１０の制御部１１は、識別番号設定装置３０から送出された識別番号を取得したか否かを判断する（ステップＳ２０３）。識別番号を取得していない場合（Ｓ２０３：ＮＯ）、電動ブラインド装置１０は、識別番号設定装置３０から送出される識別番号を取得するまで待機する。
【００６０】
識別番号設定装置３０から送出される識別番号を取得した場合（Ｓ２０３：ＹＥＳ）、制御部１１は、第１記憶領域１２ａの識別番号を、ステップ２０３で取得した識別番号により書き換える処理を行う（ステップＳ２０４）。
【００６１】
制御部１１は、実施の形態１と同様の更新手順により、第１記憶領域１２ａ及び第２記憶領域１２ｂに記憶された識別番号のうち、最新の識別番号（最後に更新された識別番号）を第３記憶領域１２ｃに記憶させることにより、自装置の識別番号を設定する。
【００６２】
以上のように、実施の形態２では、電動ブラインド装置１０に着脱自在に接続される識別番号設定装置３０から送出される識別番号を、自装置の識別番号として設定することができる。
【００６３】
なお、実施の形態２では、識別番号設定装置３０から取得した識別番号を第１記憶領域１２ａに記憶させる構成としたが、第１記憶領域１２ａとは別の記憶領域（例えば第４記憶領域）を用意し、記憶させる構成としてもよい。この構成では、制御部１１は、第１記憶領域１２ａ、第２記憶領域１２ｂ、及び第４記憶領域に記憶された識別番号のうち、最新の識別番号（最後に更新された識別番号）を第３記憶領域１２ｃに記憶させることにより、自装置の識別番号を設定する。
【００６４】
（実施の形態３）
実施の形態３では、各電動ブラインド装置１０にて更新された識別番号の情報を中央制御装置２０へ送信し、中央制御装置２０にて各電動ブラインド装置１０の識別番号を管理する構成について説明する。
【００６５】
図１１は実施の形態３に係る識別番号の更新手順を説明するフローチャートである。電動ブラインド装置１０の制御部１１は、図に示していないタイマをセットし（ステップＳ３０１）、所定時間が経過したか否かを判断する（ステップＳ３０２）。所定時間が経過していない場合（Ｓ３０２：ＮＯ）、制御部１１は、所定時間が経過するまで待機する。
【００６６】
所定時間が経過したと判断した場合（Ｓ３０２：ＹＥＳ）、制御部１１は、第１記憶領域１２ａに記憶されている識別番号の更新日時と、第２記憶領域１２ｂに記憶されている識別番号の更新日時とを比較し（ステップＳ３０３）、最後に更新された識別番号を第１記憶領域１２ａ又は第２記憶領域１２ｂの何れかから読み出す（ステップＳ３０４）。
【００６７】
次いで、制御部１１は、第１記憶領域１２ａ又は第２記憶領域１２ｂの何れかから読み出した識別番号と、第３記憶領域１２ｃに記憶されている識別番号とを比較し、識別番号を更新するか否かを判断する（ステップＳ３０５）。
【００６８】
第１記憶領域１２ａ又は第２記憶領域１２ｂから読み出した識別番号と、第３記憶領域１２ｃに記憶されている識別番号とが同一である場合、制御部１１は、識別番号を更新しないと判断し（Ｓ３０５：ＮＯ）、処理をステップＳ３０１に戻す。
【００６９】
第１記憶領域１２ａ又は第２記憶領域１２ｂから読み出した識別番号と、第３記憶領域１２ｃに記憶されている識別番号とが異なる場合、制御部１１は、識別番号を更新すると判断する（Ｓ３０５：ＹＥＳ）。この場合、制御部１１は、第３記憶領域１２ｃの識別番号を、第１記憶領域１２ａ又は第２記憶領域１２ｂから読み出した識別番号により書き換えることにより（ステップＳ３０６）、システム内で使用する自装置の識別番号を設定する。
【００７０】
次いで、制御部１１は、設定した識別番号を含む情報を通信部１３を通じて中央制御装置２０へ送信する（ステップＳ３０７）。このとき、送信する情報には、設定した識別番号の他に、電動ブラインド装置１０に固有の情報（例えば、電動ブラインド装置１０の製造番号、シリアル番号）等を含めてもよい。
【００７１】
中央制御装置２０は、各電動ブラインド装置１０，１０，…，１０から送信される識別番号を含んだ情報を通信部２３にて受信し、受信した情報を記憶部２２にて管理する。
【００７２】
以上のように、実施の形態３では、ディップスイッチ１６を用いて個別に設定することができる電動ブラインド装置１０の識別番号を、中央制御装置２０にて自動的に収集し、管理することができる。
【００７３】
（実施の形態４）
実施の形態４では、各電動ブラインド装置１０に付与された識別番号を表示する構成について説明する。
【００７４】
図１２は実施の形態４に係る電動ブラインド装置１０の制御系の構成を示すブロック図である。実施の形態４に係る電動ブラインド装置１０は、制御部１１、記憶部１２、通信部１３、昇降制御部１４、チルト制御部１５、電動モータ１４Ｍ，１５Ｍ、ディップスイッチ１６の他に、表示部１８を備える。
【００７５】
表示部１８は、例えば液晶表示パネル、ＬＥＤランプ等からなり、自装置に設定されている識別番号（すなわち、記憶部１２内の第３記憶領域１２ｃに記憶されている識別番号）を表示する。
【００７６】
表示部１８は、第３記憶領域１２ｃに記憶されている識別番号を８桁の二進数のまま表示する構成としてもよく、十進数に変換して表示する構成としてもよい。また、識別番号を常時表示する必要はなく、表示の可否を切り替える操作部を設け、この操作部によって表示可に切り替えられている場合にのみ識別番号を表示する構成としてもよい。
【００７７】
以上のように、実施の形態４では、表示部により識別番号の現在値を表示することができるので、管理者は表示部１８に表示される識別番号を確認しながら、適切な識別番号を設定することができる。
【００７８】
今回開示された実施の形態は、全ての点で例示であって、制限的なものではないと考えられるべきである。本発明の範囲は、上述した意味ではなく、特許請求の範囲によって示され、特許請求の範囲と均等の意味及び範囲内での全ての変更が含まれることが意図される。
【００７９】
例えば、実施の形態１では、ディップスイッチ１６を用いて電動ブラインド装置１０の識別番号を設定する構成としたが、ディップスイッチ１６以外の操作手段を用いて識別番号を設定する構成としてもよい。このような操作手段として、各種スイッチ、ボタン、テンキー等の数値入力キーなどを用いることができる。
【００８０】
以上の実施の形態に関し、更に以下の付記を開示する。
【００８１】
本願の電動ブラインド制御システムは、夫々を識別する識別子が付与された複数の電動ブラインド装置（１０）と、該複数の電動ブラインド装置（１０）に通信可能に接続され、１又は複数の識別子を含む制御信号を送信することにより、前記識別子により識別される１又は複数の電動ブラインド装置（１０）の動作を制御する制御装置（２０）とを備える電動ブラインド制御システムにおいて、前記制御装置（２０）は、各電動ブラインド装置に設定すべき識別子を送信する手段（２３）を備え、各電動ブラインド装置（１０）は、識別子の入力を受付ける操作手段（１６）と、該操作手段（１６）により受付けた識別子を記憶する第１記憶手段（１２ａ）と、前記制御装置（２０）から送信された識別子を受信する手段（１３）と、該手段（１３）にて受信した識別子を記憶する第２記憶手段（１２ｂ）と、前記第１又は第２記憶手段（１２ａ，１２ｂ）に記憶した識別子のうち、最後に記憶した識別子を自装置の識別子として設定する設定手段（１２ｃ）とを備えることを特徴とする。
【００８２】
本願では、電動ブラインド装置を所定の設置場所に設置する際、電動ブラインド装置が備える操作手段を用いて個別に識別番号を与えることができ、設置後にレイアウトの変更、設置場所の変更があった場合には、個々の操作手段を操作することなく、制御装置から通信経由で各電動ブラインド装置の識別番号を設定することができる。
【００８３】
本願の電動ブラインド制御システムは、各電動ブラインド装置（１０）は、前記設定手段（１２ｃ）により設定した識別子に係る情報を前記制御装置（２０）へ送信する手段（１３）を備え、前記制御装置（２０）は、各電動ブラインド装置（１０）から送信された識別子に係る情報を受信する手段（２３）と、受信した識別子に係る情報を記憶する手段（２２）とを備えることを特徴とする。
【００８４】
本願では、電動ブラインド装置の操作手段を用いて個別に設定することができる識別番号を、制御装置にて自動的に収集し、管理することができる。
【００８５】
本願の電動ブラインド制御システムは、各電動ブラインド装置（１０）に設定すべき識別子を送出する手段を有する識別子設定装置（３０）を更に備え、各電動ブラインド装置（１０）は、前記識別子設定装置（３０）を接続する接続手段（１７）と、該接続手段（１７）に接続された識別子設定装置（３０）から送出される識別子を取得する手段（１１）とを備え、前記識別子設定装置（３０）から取得した識別子を前記第１記憶手段（１２ａ）に記憶するようにしてあることを特徴とする。
【００８６】
本願では、電動ブラインド装置に着脱自在に接続される識別子設定装置から送出される識別子を、自装置の識別子として設定することができる。
【００８７】
本願の電動ブラインド制御システムは、各電動ブラインド装置（１０）は、前記設定手段（１２ｃ）により設定した識別子を表示する表示手段（１８）を備えることを特徴とする。
【００８８】
本願では、表示手段により識別番号の現在値を表示することができるので、管理者は表示手段に表示される識別番号を確認しながら、適切な識別番号を設定することができる。
【００８９】
本願の電動ブラインド制御システムは、前記操作手段（１６）は、ディップスイッチ（１６）であることを特徴とする。
【００９０】
本願では、個々の電動ブラインド装置に設けられたディップスイッチを用いて個別に識別子を設定することができる。
【符号の説明】
【００９１】
１０  電動ブラインド装置
１１  制御部
１２  記憶部
１２ａ  第１記憶領域
１２ｂ  第２記憶領域
１２ｃ  第３記憶領域
１３  通信部
１４  昇降制御部
１４Ｍ  電動モータ
１５  チルト制御部
１５Ｍ  電動モータ
１６  ディップスイッチ
２０  中央制御装置
２１  制御部
２２  記憶部
２３  通信部
２４  表示部
２５  操作部  
【図１】
2015209687.tif 000003
【図２】
2015209687.tif 000004
【図３】
2015209687.tif 000005
【図４】
2015209687.tif 000006
【図５】
2015209687.tif 000007
【図６】
2015209687.tif 000008
【図７】
2015209687.tif 000009
【図８】
2015209687.tif 000010
【図９】
2015209687.tif 000011
【図１０】
2015209687.tif 000012
【図１１】
2015209687.tif 000013
【図１２】
2015209687.tif 000014